(57)【要約】  【目的】  本発明は、連結された複数枚の間仕切りパネルの端部等に取付けられ、間仕切りパネルを引き戸状に引き延ばす等の機能を発揮するスライドパネルの移動装置に関するものであり、現地での加工を必要とせず既設の間仕切りパネルに簡単に連結でき、床面の傾斜等に影響されずスライドパネルの円滑な摺動を得る事が出来、さらに、既存の間仕切りパネルをスライドパネルとして使用可能な、スライドパネルの移動装置を得る事を目的とする。    【構成】  固定キャスターが取付けたスライドパネルを間仕切りパネルと平行に立設し、スライドパネルの上面に外嵌する上部倒れ止め金具を、間仕切りパネルの上面に着脱自在に設ける一方、スライドパネルの下面に外嵌する下部振れ止め金具を、前記固定キャスター間に位置するよう間仕切りパネルの下面に着脱自在に設けることにより、スライドパネルを間仕切りパネルに対し所定範囲で移動可能としたものである。    【選択図】       図２
2005120614.tif 000002
【特許請求の範囲】
【請求項１】
間仕切りパネルのアジャスターの代わりに固定キャスターが取付けられて構成されたスライドパネルを間仕切りパネルと平行に立設し、スライドパネルの上面に外嵌する上部倒れ止め金具を、間仕切りパネルの上面に着脱自在に設ける一方、スライドパネルの下面に外嵌する下部振れ止め金具を、間仕切りパネルの下面で、前記固定キャスター間に位置するよう間仕切りパネルの下面に着脱自在に設けることにより、間仕切りパネルに対しスライドパネルを所定範囲で移動可能としたことを特徴とするスライドパネルの移動装置。
【請求項２】
上部倒れ止め金具と下部振れ止め金具は、間仕切りパネル同士を連結する連結孔を利用して取付けられることを特徴とする請求項１に記載のスライドパネルの移動装置。
【請求項３】
間仕切りパネルのアジャスターの代わりに固定キャスターが取付けられて構成されたスライドパネルを間仕切りパネルと平行に立設し、スライドパネルの上面に外嵌する上部倒れ止め金具を、間仕切りパネルの上面に着脱自在に設けると共に、スライドパネルの下面に外嵌する下部振れ止め金具を、間仕切りパネルの下面で、前記固定キャスター間に位置するよう間仕切りパネルの下面に着脱自在に設け、スライドパネルの閉鎖時と開放時に上部倒れ止め金具の開放側端部と閉鎖側端部に当接する閉鎖用上部ストッパーと開放用上部ストッパーがスライドパネル開閉側端部上面に設けられている事を特徴とするスライドパネルの移動装置。
【発明の詳細な説明】
【技術分野】
【０００１】
本発明は、直線状、あるいは、Ｌ字形に連結された複数枚の間仕切りパネルの端部、あるいは、コーナー部に取付けられ、引き戸状に引き延ばされたり、あるいは互いに重ね合わされたり種々の機能を発揮するスライドパネルの移動装置に関するものである。
【背景技術】
【０００２】
執務空間をセクション別に区画したり、個人のワークステーションを構成したり、あるいはコミュニケーション空間を構成したりする間仕切り用のパネルは、使用される空間の環境に適応するよう、多様な機能、サイズ、色、形状のものが提供されている。
そして、構成された空間をさらに必要に応じて手軽に区画したり、あるいは、区画された空間を開放したりすることで、間仕切り用のパネルによって区画された空間内を種々の使い方ができる機能を有するものとして、床面に対して略鉛直の間仕切りパネルを複数枚
、平面視において平行に重なるよう並べて配設し、この間仕切りパネルにおける表裏両面のうち隣接する間仕切りパネルに面する側に、横方向に延びるレール溝を少なくとも上下一対設ける一方、前記間仕切りパネルの端部における上下に、前記レール溝にその長手方向に摺動可能に嵌り係合する連結体を装着したものがある。（例えば、特許文献１参照。）
【０００３】
しかしながら、上記構成では、上下一対の連結体の係合爪を、他方の間仕切りパネルにおける上下一対のレール溝に嵌り係合させて、パネル同士をスライド可能に連結し、摺動するパネルの荷重はキャスターによって支持されているので、床面の傾斜、凹凸に沿って、摺動するパネルが上下動し、結果として、上下のレール溝内で上下の連結体が摺動中上下動する事となり、レール溝と連結体の嵌り係合では前記上下動を吸収できないため、パネルが摺動しなかったり、あるいは、円滑に摺動しなかったりして使い勝手が非常に悪かった。
又、摺動するパネル下側の連結体と間仕切りパネルの下側のレール溝の連結作業を、床面と摺動するパネル下面の狭い間隙で行わねばならず作業性が非常に悪かった。
【０００４】
【特許文献１】特開２００２−１４６９５１号公報
【発明の開示】
【発明が解決しようとする課題】
【０００５】
本発明は、既に設置されている間仕切りパネルとスライドパネルを現地での加工を必要とせず簡単に連結でき、しかも、床面の傾斜、凹凸に影響されずスライドパネルの円滑な摺動を得る事が出来、さらに、設置されている間仕切りパネルの一枚を取外してスライドパネルとして使用することもできる、スライドパネルの移動装置を得る事を課題とする。
【課題を解決するための手段】
【０００６】
そこで、上記課題を解決する為、本発明が第１の手段として構成したところは、間仕切りパネルのアジャスターの代わりに固定キャスターが取付けられて構成されたスライドパネルを間仕切りパネルと平行に立設し、スライドパネルの上面に外嵌する上部倒れ止め金具を、間仕切りパネルの上面に着脱自在に設ける一方、スライドパネルの下面に外嵌する下部振れ止め金具を、間仕切りパネルの下面で、前記固定キャスター間に位置するよう間仕切りパネルの下面に着脱自在に設けることにより、間仕切りパネルに対しスライドパネルを所定範囲で移動可能としたものである。
【０００７】
次に、本発明が第２の手段として構成したところは、前記第１の手段に加え、上部倒れ止め金具と下部振れ止め金具は、間仕切りパネル同士を連結する連結孔を利用して取付けられるものである。
【０００８】
本発明が第３の手段として構成したところは、間仕切りパネルのアジャスターの代わりに固定キャスターが取付けられて構成されたスライドパネルを間仕切りパネルと平行に立設し、スライドパネルの上面に外嵌する上部倒れ止め金具を、間仕切りパネルの上面に着脱自在に設けると共に、スライドパネルの下面に外嵌する下部振れ止め金具を、間仕切りパネルの下面で、前記固定キャスター間に位置するよう間仕切りパネルの下面に着脱自在に設け、スライドパネルの閉鎖時と開放時に上部倒れ止め金具の開放側端部と閉鎖側端部に当接する閉鎖用上部ストッパーと開放用上部ストッパーがスライドパネル開閉側端部上面に設けられているものである。
【発明の効果】
【０００９】
請求項１に記載の発明によると、アジャスターに代えて固定キャスターを取付けることで、間仕切りパネルをスライドパネルとして使用することが出来、キャスターを固定キャスターとしたことにより、スライドパネルが固定キャスターに支持された状態で移動方向が一定するので、間仕切りパネルと平行に移動させることが可能となり、間仕切りパネルに平行移動させるための部材を必要とせず、上下に倒れ止め金具を取付けるだけでよく、又、倒れ止めの機能を必要とするだけの金具であるから、スライドパネルの上面と下面に外嵌する簡単な構造にすることが出来、結果として安価に製作出来る。
さらに、下部振れ止め金具を固定キャスター間に位置して間仕切りパネルに取付けているので、キャスター間の寸法から下部振れ止め金具の左右方向の寸法を差し引いた寸法をスライド幅とし、固定キャスターと下部振れ止め金具を当接させることで、開閉方向のストッパーとすることが出来るのでさらに構造が簡素となる。
又、下部振れ止め金具はスライドパネルの下方から外嵌しているので、間仕切りパネルに下部振れ止め金具を取付けた状態で、スライドパネルを持ち上げて下面を嵌合すれば、下部振れ止め金具をスライドパネルの下面に外嵌させることができ、そして、上部倒れ止め金具を上方から嵌合できるので、連結作業が非常に容易である。
【００１０】
請求項２に記載の発明によると、請求項１の効果に加え、上部倒れ止め金具と下部振れ止め金具は、間仕切りパネルを連結する連結孔を利用して取付られるので、上下部振れ止め金具を取付ける取付孔を形成する加工を現場で一切必要ないので、専門業者でなくてもエンドユーザーが必要な時にスライドパネルを間仕切りパネルに追加的に取付けることが出来る。
【００１１】
請求項３に記載の発明によると、請求項１の発明の効果に加え、閉鎖用上部ストッパーと開放用上部ストッパーをスライドパネルの上面に設けているので、スライドパネルのスライド幅を、固定キャスター間の寸法から下部振れ止め金具の開閉方向の寸法を差し引いた寸法内であれば、使用場所によってスライドパネルのスライド幅を適宜選択することが出来るので非常に使い勝手がよい。
【発明を実施するための最良の形態】
【００１２】
間仕切りパネル１のアジャスター２００、２００の代わりに固定キャスター３００、３００が取付けられて構成されたスライドパネル６を間仕切りパネル１に平行に立設し、スライドパネル６の上面に外嵌する上部倒れ止め金具７を、間仕切りパネル１の上面に着脱自在に設けると共に、スライドパネル６の下面に外嵌する下部振れ止め金具８を、前記固定キャスター３００、３００間に位置するよう間仕切りパネル１の下面に着脱自在に設け、上部倒れ止め金具７と下部振れ止め金具８は、間仕切りパネル１、１同士を連結する連結孔１３４、１３４、５１、５１を利用して取付けられ、スライドパネル６の閉鎖時と開放時に上部倒れ止め金具７の開放側端部と閉鎖側端部に当接する閉鎖用上部ストッパー６１１と開放用上部ストッパー６１２がスライドパネル６の開閉側端部上面に設けられているものである。
【実施例１】
【００１３】
図１は、本発明を使用した間仕切り用のパネルの斜視図を示している。
符号１・・・は、間仕切りパネルを示し、符号６はスライドパネルを示している。
間仕切りパネル１は、アルミ材の押出し成形により形成された上枠１１、下枠１２と、アルミ材の押出し成形により形成された左右の縦枠１３、１３と、上枠１１、下枠１２、左右の縦枠１３、１３の各角部を連結する上下及び左右のコーナー金具２・・・と、上枠１１と下枠１２と左右の縦枠１３、１３間の表裏両面にペーパーハニカム１５を介して圧着された表面板１６・・・等より構成されている。
【００１４】
上枠１１は、上縁部１１１と、上縁部１１１の下方に突出して形成された表面板上支持突部１１４よりなり、上表面板上支持突部１１４内部が空洞とされ、空洞の左右端部を左右の上側のコーナー金具２、２の一部が圧入嵌合する上側の圧入嵌合孔１１６、１１６としている。
【００１５】
下枠１２は、上枠１１の一部を加工して形成され、上枠１１と上下対称に配設されている。
すなわち、下枠１２は、下縁部１２１と、下縁部１２１の上方に突出して形成された表面板下支持突部１２４よりなり、表面板下支持突部１２４の内部が空洞とされ、空洞の左右端部を左右の下側のコーナー金具２、２の一部が圧入嵌合する下側の圧入嵌合孔１２６、１２６とし、下縁部１２１の所定位置にアジャスター２００、あるいはキャスター３００の取付孔１２９が形成されている。
【００１６】
左右の縦枠１３、１３は左右対称形に形成されているので、一方側についてのみ説明する。
縦枠１３は、側端面の上下方向に端面側が小さく奥部側が大きく形成された横向き台形状の連結用嵌合溝１３１を有する基部１３０と、基部１３０の奥部側に形成された表面板側支持突部１３３と、表面板側支持突部１３３の内部の上下方向に円形空洞部を有し、円形空洞部の上下端部を左右の上下のコーナー金具２、２との連結孔１３４、１３４とした連結用突条１３５より構成され、基部１３０と表面板側支持突部１３３、連結用突条１３５にて形成された空洞の上下端部を、上側のコーナー金具２の一部および下側のコーナー金具２の一部が圧入嵌合する、圧入嵌入孔１３６、１３６としている。
【００１７】
左右の上下のコーナー金具２・・・は、上枠１１、下枠１２、左右の縦枠１３、１３の各端部を互いに連結する際、上下、左右対称に各角部に同一のものが配置して使用されている。
ここでは、先ず、上枠１１と左右の縦枠１３、１３のうち一方の縦枠１３の上端とを連結する上側のコーナー金具２として使用される場合について説明する。
すなわち、コーナー金具２は、端部に縦枠１３の連結用嵌合溝１３１と同形の嵌合切り欠き部２１を有するコーナー基板２３と、コーナー基板２３の下面より下方に突出し、前記縦枠１３の上側の圧入嵌入孔１３６に圧入嵌合する縦枠圧入嵌合突部２４と、コーナー基板２３から突出し、前記上枠１１の上側の圧入嵌合孔１１６に圧入嵌合する上下枠圧入嵌合突部２５と、コーナー基板２３の上面より上方に突出し、表裏両側にスライド凹溝２７、２７を有する上支持突条２６より構成され、コーナー基板２３には、縦枠１３の連結孔１３４に対応して、貫通孔２０が形成されている。
【００１８】
そして、間仕切りパネル１が他の間仕切りパネル１と連結されない場合のみ、上コーナー金具２に上コーナーキャップ２８が取付けられる。
すなわち、上コーナーキャップ２８は、縦枠１３の上側の連結孔１３４およびコーナー金具２の貫通孔２０に対応して、取付け孔２８０が形成され、上支持突条２６に外嵌し、連結用嵌合溝１３１、及び、嵌合切り欠き部２１の上端を隠蔽する。
又、下枠１２と左右の縦枠１３、１３のうち一方の縦枠１３の下端とを連結する下側のコーナー金具２として使用される場合には、上下枠圧入嵌合突部２５に形成されたアジャスー取付用保持孔２９に、下枠１２のアジャスター取付孔１２９を貫通したアジャスター２００（固定キャスター３００）が螺合して使用される。
そして、スライド凹溝２７、２７にスライド自在に保持される受け部材２０１が取付けられる。
【００１９】
そして、左右の縦枠１３、１３の上下圧入嵌入孔１３６、１３６にコーナー金具２の縦枠圧入嵌合突部２４・・・を圧入嵌合させ、上下枠１１、１２の上下の圧入嵌合孔１１６、１２６にコーナー金具２の上下枠圧入嵌合突部２５・・・圧入嵌合させて、それぞれを互いに連結することにより基枠が構成され、基枠の表裏両面に、ペーパーハニカム材１５を介して表面板１６・・・を圧着する事により、間仕切りパネル１が構成される。
上記の如く構成された間仕切りパネル１は、上コーナーキャップ２８に代わる直線連結金具３０、支柱用直線連結金具、Ｔ字形連結金具、十字形連結金具、Ｌ字形連結金具９、段違い連結金具４、支柱用端部連結金具９０、及び、支柱５によって間仕切りパネル１の上部同士が連結され、下部同士は連結部材３、及び、支柱５によって連結される。
【００２０】
本発明のスライドパネル６は、直線的に連結された間仕切りパネル１・・・の端部に位置する間仕切りパネル１に取付けられて使用されるか、あるいは、Ｌ字形に連結された間仕切りパネル１・・・のコーナー部分の間仕切りパネル１に取付けられて使用される。
よって、まず、間仕切りパネル１を直線的に連結する場合について説明し、続いてＬ字形に連結する場合について説明する。
高さの同じ間仕切りパネル１、１を直線的に連結する場合は、連結部材３、直線形連結金具３０を使用する。
【００２１】
連結部材３は、縦枠１３の嵌合溝１３１に嵌合する第１嵌合部３１と、第１嵌合部３１と対称形の第２嵌合部３２を有し、上下端部を先細り状となし、所定位置には支柱５との連結孔３１０が形成され、アルミ材により所定高さで、横断面鼓形に構成されている。
【００２２】
直線形連結金具３０は、直線的に立設された間仕切りパネル１、１の上側のコーナー金具２の上支持突条２６に外嵌し、上コーナー基板２３上に位置する下向きコ字形の外被部３０１と、外被部３０１の中央部下面より下方に突出し、直線的に立設された間仕切りパネル１、１の縦枠１３、１３の嵌合溝１３１、１３１、及び、上嵌合切欠き部２１、２１に嵌合する、前記連結部材３と横断面同形の連結脚体３０２と、直線的に配設された間仕切りパネル１、１の縦枠１３、１３の連結孔１３４に一致する連結孔３０３、３０４を有する連結用筒部３０５、３０６より構成されている。
【００２３】
そして、間仕切りパネル１、１同士を直線的に連結する場合は、まず、一方の間仕切りパネル１の下側のコーナー金具２の受け部材２０１を間仕切りパネル１の外方側へスライドさせて縦枠１３の嵌合溝１３１の下端部を閉塞状態として、次に、該間仕切りパネル１の縦枠１３の嵌合溝１３１の上方から連結部材３の第１嵌合部３１を嵌合させた後に下方に移動させ、連結部材３の下面を受け部材２０１に当接させて、間仕切りパネル１の外方に連結部材３の第２嵌合部３２が突出した状態とする。
次に、他方の間仕切りパネル１の下側のコーナー金具２の受け部材２０１を下枠１２の端部側へスライドさせて縦枠１３の嵌合溝１３１の下端部を開口状態として、該間仕切りパネル１をやや持ち上げた状態で、上記間仕切りパネル１から突出した連結部材３の第２嵌合部３２に嵌合溝１３１の下端を上方から嵌合させ、アジャスター２００・・・が床面に当接した状態で、間仕切りパネル１、１の下端部を連結する。
次に、直線形連結金具３０の連結脚体３０２を向かい合った縦枠１３、１３の嵌合溝１３１、１３１の上方より嵌合させて、上側のコーナー金具２、２の上支持突条２６、２６に外被部３０１を外嵌させて、連結孔３０３、３０４を縦枠１３、１３の連結孔１３４、１３４と一致させ、連結ネジ５０・・・にて間仕切りパネル１、１の上端部を連結することによって、間仕切りパネル１、１を直線的に連結する。
【００２４】
次に、間仕切りパネル１、１がＬ字形に連結される場合について説明する。
この場合、間仕切りパネル１、１の高さが同じ場合と、異なる場合がある。
同じ高さの間仕切りパネルを連結する場合は、連結部材３、支柱５、及び、Ｌ字形連結金具９を使用する。
支柱５は、間仕切りパネル１のキャスター２００・・・を除いた高さとほぼ同高さで、アルミの押出し成形によって四角柱状となし、上下端部を支柱用直線連結金具、Ｔ字形連結金具、十字形連結金具、Ｌ字形連結金具９、支柱用端部連結金具９０等との連結孔５１、５１とする補強リブ５２が内部に形成され、隅部の空洞上下端部を後述するＬ字形連結金具９等の嵌入突起９３等が嵌入する上下嵌入孔５３・・・となし、四角柱状の４側端面には上下方向に渡って、縦枠１３の嵌合溝１３１と同形の支柱嵌合溝５４・・・が形成され、下端面には連結部材３の落止め防止部材５５が下側の連結孔５１を利用してネジ止めされている。
【００２５】
Ｌ字形連結金具９は、Ｌ字形に配設された２枚のパネル１、１の上側のコーナー金具２、２の上支持突条２６、２６に外嵌し、コーナー部分が支柱５の上面に位置する下向きコ字形で平面視Ｌ字形の外装部９１、９１と、コーナー部分の下面から下方へ突出し、支柱５の上嵌入孔５３・・・に嵌入する嵌入突起９３・・・と、コーナー部分の端部側下面から下方に突出し、嵌合切り欠き部２１、２１、縦枠１３、１３の嵌合溝１３１、１３１、および、支柱５の支柱嵌合溝５４、５４に嵌合し、連結部材３と横断面が同形の連結脚部９４、９４と、縦枠１３、１３の連結孔１３４、１３４に一致する連結孔９５、９６を有する連結用筒部９７、９８と、コーナー部分の中央に形成された支柱５の連結孔５１に対応する連結孔９９より構成されている。
【００２６】
連結部材３、支柱５、Ｌ字形連結金具９は上記の如く構成され、同じ高さの間仕切りパネル１、１は次のようにしてＬ字形に連結される。
まず、連結部材３の第１嵌合部３１を支柱５の支柱嵌合溝５４の上方から嵌合させた後に下方に移動させ、連結部材３の下端面を落止め防止部材５５に当接した状態で、連結孔３０１を利用して、連結部材３の第２嵌合部３２が支柱５の下端部側面から外方に突出した状態にネジ等によって固定する。
次に、下側のコーナー金具２の受け部材２０１を下枠１２の端部側へスライドさせて縦枠１３の嵌合溝１３１の下端部が開口した状態の間仕切りパネル１をやや持ち上げて、上記支柱５から突出した連結部材３の第２嵌合部３２に嵌合溝１３１の下端を嵌合させ、アジャスター２００・・・を床面に当接させた状態で間仕切りパネル１の下端部と支柱５の下端部とを連結する。
【００２７】
次に、連結された間仕切りパネル１と９０度をなす支柱嵌合溝５４の上方から、 別の連結部材３の第１嵌合部３１を嵌合させた後に下方に移動させて、連結部材３の下端面を落止め防止部材５５に当接させ、支柱５の下端部側面から連結部材３の第２嵌合部３２が突出した状態とする。（図９に示す状態。）
そして、下側のコーナー金具２の受け部材２０１を下枠１２の端部側へスライドさせて縦枠１３の嵌合溝１３１の下端部を開口状態とした別の間仕切りパネル１をやや持ち上げた状態で、上記支柱５から突出した連結部材３の第２嵌合部３２に上方から嵌合溝１３１を嵌合させ、アジャスター２００を床面に当接させた状態で、下枠１２の端部側へスライドさせていた受け部材２０１を支柱５側にスライドさせ、連結部材３の第２嵌合部３２の下面に受け部材２０１を位置せしめ、一方の間仕切りパネル１と別の間仕切りパネル１の下端部とが支柱５を介してＬ字形に連結される。
【００２８】
次に、Ｌ字形連結金具９の連結脚部９４、９４を縦枠１３、１３の連結用嵌合溝１３１、１３１と支柱５の支柱嵌合溝５４、５４に嵌合すると同時に、嵌入突起９３・・・を支柱５の上嵌入孔５３・・・に嵌合し、外装部９１を上側のコーナー金具２、２の上支持突条２６、２６に外嵌させ、連結用筒部９７、９８の連結孔９５、９６、及び、連結孔９９を、縦枠１３、１３の連結孔１３４、１３４、及び支柱５の連結孔５１の上側に一致させ、Ｌ字形連結金具９、支柱５、間仕切りパネル１、１の上端部を連結ネジ５０・・・にて連結する。
以上のようにして、支柱５を介して、一方の間仕切りパネル１に対して他方の間仕切りパネル１がＬ字形に連結される。
そして、上記支柱５の上下側の連結孔５１、５１、Ｌ字形連結金具９の連結孔９９と、いずれか一方側の間仕切りパネル１の上下の連結孔１３４、１３４、又、連結用筒部９７、９８の連結孔９５、９６のいずれか一方は本発明のスライドパネル６を取付けるときに使用される。
【００２９】
次に、高さの異なる間仕切りパネル１、１をＬ字形に連結するときに、Ｌ字形連結金具９に代って使用される支柱用端部連結金具９０と、段違い連結金具４とについて説明する
。
支柱用端部連結金具９０は、上側のコーナー金具２の上支持突条２６に外嵌し、コーナー基板２３と支柱５の上面に位置する下向きコ字形の外装部９０１と、外装部９０１の支柱５側の下面から下方に突出し、支柱５の上嵌入孔５３・・・に嵌入する嵌入突起９０３・・・と、外装部９０１の間仕切りパネル１側の下面から下方に突出し、縦枠１３の嵌合溝１３１、支柱５の支柱嵌合溝５４に嵌合する連結部材３と横断面同形の連結脚部９０４と、縦枠１３の連結孔１３４に一致する連結孔９０５を有する連結用筒部９０７と、外装部９０１の支柱５側端部中央に形成された支柱５の連結孔５１に対応する支柱用連結孔９０９より構成されている。
【００３０】
段違い連結金具４は、間仕切りパネル１の上側のコーナー金具２の上支持突条２６に外嵌し、コーナー基板２３上に位置する下向きコ字形の外被部４１と、外被部４１の支柱５側端部側下面より下方に突出し、外被部４１より外方に突出した部分が支柱５の支柱嵌合溝５４に嵌合し、外被部４１側の下方が間仕切りパネル１の縦枠１３の嵌合溝１３１に嵌合する前記連結部材３と横断面同形の連結脚体４２と、間仕切りパネル１の縦枠１３の上側の連結孔１３４に対応する連結孔４３より構成されている。
【００３１】
支柱用端部連結金具９０と段違い連結金具４は、上記の如く構成され、高さの異なる間仕切りパネル１、１は次の様にしてＬ字形に連結される。
まず、前述の同じ高さの間仕切りパネル１、１を連結する手順の間仕切りパネル１と支柱５の連結と同様にして、連結部材３を用いて高さの高い方の間仕切りパネル１と支柱５との下端部とが連結される。
次に、連結された間仕切りパネル１と９０度をなす位置の支柱嵌合溝５４の下端部に連結部材３を取付けて、この連結部材によって高さの低い方の間仕切りパネル１の下端部と支柱とを連結させて、高さの異なる間仕切りパネル１、１の下端部同士を、支柱５を介して、Ｌ字形に連結させる。
【００３２】
次に、高さの低い方の間仕切りパネル１側の支柱嵌合溝５４の上端より、段違い連結金具４の連結脚体４２の支柱５側の部分を嵌合させて下方に移動し、連結脚体４２の外被部４１側の部分を高さの低い方の間仕切りパネル１の縦枠１３の嵌合溝１３１に嵌合させると同時に、上側のコーナー金具２の上支持突条２６に外被部４１を外嵌させ、高さの低い方の間仕切りパネル１の縦枠１３の連結孔１３４の上側に連結孔４３を一致させて、連結孔４３に連結ネジ５０を螺入させることによって、高さの低い方の間仕切りパネル１と支柱５とを連結する。
次に、段違い連結金具４の連結脚体４２が嵌合している支柱嵌合溝５４の上方から棒状の上り止め部材９０６を挿入する。
ここで、上り止め部材９０６は下端を連結脚体４２の支柱５側の上面に当接させた状態で、上端は支柱５の上面と面一になるようにする。
【００３３】
次に、高さの高い方の間仕切りパネル１の縦枠１３の嵌合溝１３１、及び、支柱５の支柱嵌合溝５４の上端部に支柱用端部連結金具９０の連結脚部９０４を嵌合させながら、同時に、嵌入突起９０３・・・を支柱５の上嵌入孔５３・・・に嵌入させ、外装部９０１を上側のコーナー金具２の上支持突条２６に外嵌し、縦枠１３の連結孔１３４には連結用筒部９０７の連結孔９０５を一致させ、支柱５の連結孔５１には支柱用連結孔９０９を一致させて、連結ネジ５０・・・を螺入させることによって、高さの高い方の間仕切りパネル１と支柱５の上端部を連結する。
【００３４】
この状態で、棒状の上り止め部材９０６の上端は、支柱用端部連結金具９０の外装部９０１の下面で閉塞されるので、上方に抜け出すことがなく、結果として、高さの低い方の間仕切りパネル１は、支柱５に対して上方に移動することはない。
そして、スライドパネル６を取付ける時は、上記支柱５の上下側の連結孔５１、５１と、連結孔９０９と、高さの高い方の間仕切りパネル１の縦枠１３の上下の連結孔１３４、１３４と、上下端に取付けられた支柱用端部連結金具９０、９０の連結用筒部９０７、９０７の連結孔９０５、９０５が使用される。
【００３５】
そして、スライドパネル６は、間仕切りパネル１に着脱自在に取付けられる上部倒れ止め金具７、下部振れ止め金具８によって、間仕切りパネル１と平行に、所定範囲で移動自在となる。
尚、以下の説明では、スライドパネル６が間仕切りパネル１の端部に対して延出する方向を閉鎖側とし、スライドパネル６が間仕切りパネル１の端部に対して退行する方向を開放側とする。
スライドパネル６は、間仕切りパネル１の上下枠１１、１２と、間仕切りパネル１の左右の縦枠１３、１３と、上枠１１、下枠１２、左右の縦枠１３、１３の各角部を連結する、間仕切りパネル１と同一のコーナー金具２・・・と、上枠１１と下枠１２と左右の縦枠１３、１３間の表裏両面にペーパーハニカム１５を介して圧着された表面板１６より構成されている。
下枠１２には、間仕切りパネル１のアジャスター２００に代わって固定キャスター３００、３００が、スライドパネル６が間仕切りパネル１と平行にのみ移動するよう固定され、上枠１１と左右の縦枠１３、１３を連結するコーナー金具２、２には、上コーナーキャップ２８、２８が取付けられ、下枠１２と左右の縦枠１３、１３を連結するのコーナー金具２、２には、受け部材２０１、２０１が取付けられ、さらに、左右の縦枠１３、１３のうち一方の縦枠１３には、スライドパネル６の移動操作用の把手６０が取付けられている。
すなわち、スライドパネル６は、間仕切りパネル１に取付けられるアジャスター２００に代わって固定キャスター３００が取付けられ、さらに、左右の縦枠のうち一方の縦枠に把手６０が取付けられて構成されているので、既設の間仕切りパネル１をスライドパネル６として転用することが可能である。
【００３６】
そして、固定キャスター３００、３００間に位置して間仕切りパネル１に取付けられる下部振れ止め金具８の開閉側端部に、固定キャスター３００、３００が当接することによってスライドパネル６の開閉方向への移動が止まる。
すなわち、固定キャスター３００、３００の間隔と下部振れ止め金具８の開閉方向の寸法とによってスライドパネル６の移動幅が決定されるが、上部倒れ止め金具７の開放側端部と閉鎖側端部にスライドパネル６の閉鎖時と開放時に当接する閉鎖用上部ストッパー６１１と、開放用上部ストッパー６１２をスライドパネル６の開閉側端部上面に着脱自在に設ける事により、固定キャスター３００、３００の間隔から下部振れ止め金具８の開閉方向の寸法を差し引いた寸法内であれば、スライドパネル６の移動幅を適宜決定することが可能である。
尚、実施例では、開放時には、一方の固定キャスター３００が下部振れ止め金具８に当接した状態で、開放用上部ストッパー６１２が上部振れ止め金具７の閉鎖側端部に当接して、また、閉鎖時には、他方の固定キャスター３００が下部振れ止め金具８に当接した状態で、閉鎖用上部ストッパー６１１が上部振れ止め金具７の開放側端部に当接する構成としている。
【００３７】
上部倒れ止め金具７は、スライドパネル６の上端部に上方から外嵌し、スライドパネル６の上端面と所定間隔を有して上方に位置する上方基板７３と、上方基板７３の外側端部が下方に折り曲げられ、スライドパネル６の外側に位置する外側上突壁７１と、外側上突壁７１と所定間隔を有してスライドパネル６の内側に位置するよう上方基板７３の下面に下方に突出するように溶接等にて設けられた内側上突壁７２と、上方基板７３の間仕切りパネル１側が間仕切りパネル１の上端面上方に延出された上連結用突片７４より構成されている。
そして、上連結用突片７４には、縦枠１３の上側の連結孔１３４と支柱５の上側の連結孔５１に一致する倒れ止め金具上連結孔７５、７５が形成されると共に、スライドパネル６上に位置する上方基板７３の一部には、開放側端部が開口するスライド領域調整用きり欠き７３１が形成されている。
すなわち、スライドパネル６の閉鎖用上部ストッパー６１１がスライド領域調整用きり欠き７３１の閉鎖側端面に当接することで、スライドパネル６の閉鎖側への移動が停止される。
又、外側上突壁７１と内側上突壁７２の内面には、スライドパネル６の円滑な移動を補助する滑り部材７６、７６が貼付けられている。
【００３８】
下部振れ止め金具８は、スライドパネル６の下端部に下方から外嵌して固定キャスター３００、３００間に位置し、スライドパネル６の下端面と所定間隔を有して下方に位置する下方基板８３と、下方基板８３の内側と外側の端部が上方に折り曲げられ、スライドパネル６の内側と外側に位置する内外側下突壁８１、８２からなる上向きコ字形の下部倒れ止め部材８４と、下部倒れ止め部材８４の下方基板８３の下面に溶接等にて連結され、間仕切りパネル側１の下面に延出された下連結部材８５より構成され、下連結部材８５には縦枠１３の下側の連結孔１３４と支柱５の下側の連結孔５１に一致する倒れ止め金具下連結孔８６、８６が形成されている。
そして、外側下突壁８１と内側下突壁８２の内面には、スライドパネル６の円滑な移動を補助する滑り部材８７、８７が貼付けられている。
【００３９】
スライドパネル６と、上部倒れ止め金具７と、下部振れ止め金具８は上記の如く構成され、次の様にして、スライドパネル６は間仕切りパネル１に取付けられる。
まず、直線的に連結された複数枚間仕切りパネル１・・・の端部の間仕切りパネル１に
スライドパネル６を連結する時は、他の間仕切りパネル１との連結状態を解除した端部側の間仕切りパネル１の縦枠１３に落止め防止部材５５を取外した支柱５を当接させて、支柱用端部連結金具９０の連結脚部９０４を縦枠１３の下側の嵌合溝１３１と支柱５の下側の支柱嵌合溝５４に嵌入し、外装部９０１を下側のコーナー金具２の下支持突条２６に外嵌し、縦枠１３の下側の連結孔１３４と支柱５の下側の連結孔５１に、連結用筒部９０７の連結孔９０５と支柱用連結孔９０９を一致させ、さらに、下部倒れ止め部材８４を上向きの状態で、振れ止め金具下連結孔８６、８６を、支柱５の連結孔５１、支柱用連結孔９０９、連結孔９０５、縦枠１３の連結孔１３４を一致させ、連結ネジ５０・・・にて下部振れ止め金具８、支柱用端部連結金具９０、支柱５と間仕切りパネル１の下端部を連結する。  
【００４０】
次に、既に他の間仕切りパネル１と連結されている間仕切りパネル１の端部に、支柱５の下端部が連結された端部と反対側の間仕切りパネル１の端部を連結部材３、直線形連結金具３０等にて連結し、間仕切りパネル１を立設する。
【００４１】
そして、下部振れ止め金具８の内外側下突壁８１、８２間に、上方より固定キャスター３００、３００間のスライドパネル６の下端部を嵌入し、さらに、支柱用端部連結金具９０の連結脚部９０４を縦枠１３の上側の嵌合溝１３１、支柱５の上側の支柱嵌合溝５４に上端より嵌入し、外装部９０１を上側のコーナー金具２の上支持突条２６に外嵌し、縦枠１３の連結孔１３４と支柱５の連結孔５１に、連結用筒部９０７の連結孔９０５と支柱用連結孔９０９を一致させ、さらに、上部倒れ止め金具７を下向きの状態で、外側上突壁７１と内側上突壁７２間にスライドパネル６の上端部が位置するように、金具上連結孔７５、７５を支柱５の連結孔５１、支柱用連結孔９０９、連結孔９０５、縦枠１３の連結孔１３４を一致させ、連結ネジ５０・・・にて上部倒れ止め金具７、支柱用端部連結金具９０、支柱５と間仕切りパネル１の上端部を連結し、スライドパネル６を間仕切りパネル１に対して移動自在に支持する。
この時、上部倒れ止め金具７の上方基板７３とスライドパネル６の上枠１１間、および、スライドパネル６の下枠１２と下振れ止め金具８の下方基板８３間に所定の間隙が形成される。
【００４２】
そして、スライドパネル６が開閉方向に移動した際、下部触れ止め金具８の開閉側端部にキャスター３００、３００の内面側（固定キャスターの取付けボルト内面側）が当接して停止すると同時に、上部触れ止め金具７の開閉側端部に当接する閉鎖用上部ストッパー６１１と、開放用上部ストッパー６１２をスライドパネル６の上端面に着脱自在に取付ける。
尚、実施例では、開放時には、一方の固定キャスター３００が下部振れ止め金具８に当接した状態で、開放用上部ストッパー６１２が上部振れ止め金具７の閉鎖側端部に当接して、また、閉鎖時には、他方の固定キャスター３００が下部振れ止め金具８に当接した状態で、閉鎖用上部ストッパー６１１が上部振れ止め金具７の開放側端部に当接するようにスライドパネル６の移動幅を設定しているが、閉鎖用上部ストッパー６１１をより閉鎖側に設け、開放用上部ストッパーをより解放側に設ければ、スライドパネル６の移動幅を小さくする方向に設定を変更することが可能である。
【００４３】
一方、Ｌ字形に連結された間仕切りパネル１、１の一方側にスライドパネル６を取付けるときは、先ず、コーナー部分の間仕切りパネル１、１のうち、スライドパネル６を取付けようとする側の間仕切りパネル１を他方の間仕切りパネル１から取外す。
次に、取外された間仕切りパネル１の縦枠１３に落止め防止部材５５を取外した支柱５を当接させて、支柱用端部連結金具９０の連結脚部９０４を縦枠１３の下側の嵌合溝１３１、支柱５の下側の支柱嵌合溝５４に嵌入し、外装部９０１を下側のコーナー金具２の下支持突条２６に外嵌し、縦枠１３の下側の連結孔１３４と支柱５の下側の連結孔５１に、連結用筒部９０７の連結孔９０５と支柱用連結孔９０９を一致させ、さらに、下部倒れ止め部材８４が上向きにした状態で金具下連結孔８６、８６を、支柱５の下側の連結孔５１、支柱用連結孔９０９、連結孔９０５、縦枠１３の下側の連結孔１３４を一致させ、連結ネジ５０・・・にて下部振れ止め金具８、支柱用端部連結金具９０、支柱５と間仕切りパネル１の下端部を連結する。
【００４４】
次に、既に他の間仕切りパネル１と連結されている間仕切りパネル１の端部に、支柱５の下端部が連結された間仕切りパネル１の端部と反対側の端部を連結部材３、直線形連結金具等にて連結し、間仕切りパネル１、１を立設する。
次に、間仕切りパネル１に対して９０度をなす方向の支柱嵌合溝５４の上方から、連結部材３の第１嵌合部３１を嵌入し、連結部材３の下端面を支柱５の下端に取付けた支柱用端部連結金具９０に当接させ、支柱５の下端部側面から連結部材３の第２嵌合部３２が突出した状態とする。
【００４５】
そして、下側のコーナー金具２の受け部材２０１を下枠１２の端部側へスライドさせて、縦枠１３の嵌合溝１３１の下端部が開口した状態とした取外された一方の間仕切りパネル１をやや持ち上げた状態で嵌合溝１３の下端部を上記支柱５から突出している連結部材３の第２嵌合部３２に上方から嵌合させる。
そして、アジャスター２００を床面に当接させた状態で下枠１２の端部側にスライドさせていた受け部材２０１を支柱５側にスライドさせて連結部材３の第２嵌合部３２の下面に受け部材２０１を位置せしめ、一方の間仕切りパネル１に対し、支柱５を介して、他の間仕切りパネル１の下端部同士をＬ字形に連結する。
【００４６】
次に、下部振れ止め金具８の内外側下突壁８１、８２間の上方より、スライドパネル６の固定キャスター３００、３００間の下端部を嵌入する。
そして、この状態を状態を維持しながら、Ｌ字形連結金具９の連結脚部９４、９４を縦枠１３、１３の上側の嵌合溝１３１、１３１と支柱５の上側の支柱嵌合溝５４、５４に嵌合させると同時に、嵌入突起９３・・・を支柱５の上嵌入孔５３・・・に嵌合させ、外装部９１、９１を上側のコーナー金具２、２の上支持突条２６、２６に外嵌させ、連結用筒部９７、９８の連結孔９５、９６、連結孔９９を、縦枠１３、１３の上側の連結孔１３４、１３４、及び支柱５の上側の連結孔５１に一致させ、さらに、上部倒れ止め金具７の外側上突壁７１と内側上突壁７２間にスライドパネル６の上端部が位置する向きで、金具上連結孔７５、７５をＬ字形連結金具９の連結孔９５、９６、連結孔９９に一致させ、連結ネジ５０・・・にてＬ字形連結金具９、支柱５、間仕切りパネル１、１、上部倒れ止め金具７を連結する。
この時、上部倒れ止め金具７の上方基板７３とスライドパネル６の上枠１１間、および、スライドパネル６の下枠１２と下振れ止め金具８の下方基板８３間に所定の間隙が形成される。
【００４７】
尚、実施例では、上部倒れ止め金具７、下部振れ止め金具８は、支柱５の上下の連結孔５１、５１、間仕切りパネル１の縦枠１３の上下の連結孔１３４、１３４を利用して取付けるため、間仕切りパネル１に現場での加工を一切不要としているが、スライドパネル６が取付く間仕切りパネル１に支柱５を取付けない時は、金具上連結孔７５、７５、及び、振れ止め金具下連結孔８６、８６に対応する連結孔を現場で上枠１１と下枠１２に加工をすればよい。
【００４８】
本発明は上記の如く構成されているので、取手６０をもって手動にてスライドパネル６を開閉方向に移動させると、キャスター３００、３００が床面に接触しているので、スライドパネル６は、床面の凹凸や傾斜によって若干の上下動はするものの、下振れ止め金具８はスライドパネル６に下方から外嵌し、上部倒れ止め金具７はに上方から外嵌しているので、上部倒れ止め金具７の上方基板７３とスライドパネル６の上枠１１間に形成される所定の間隙、および、スライドパネル６の下枠１２と下振れ止め金具８の下方基板８３間に形成される所定の間隙によって、スライドパネル６が移動中に上下動しても他の部材と干渉することはなく、スライドパネル６の移動に悪影響を及ぼす事がない。
【図面の簡単な説明】
【００４９】
【図１】本発明の斜視図
【図２】本発明の要部分解斜視図
【図３】図１のＡ―Ａ線拡大断面図
【図４】Ｌ字形連結金具の斜視図
【図５】支柱用端部連結の斜視図
【図６】段違い連結金具図の斜視図
【図７】直線形連結金具の斜視図
【図８】連結部材の斜視図
【図９】同一高さの間仕切りパネル同士をＬ字形に連結した場合の要部分解斜視図
【図１０】高さの異なる間仕切りパネル同士を段違いにＬ字形に連結した場合の要部分解斜視図
【図１１】間仕切りパネルの構成の一部を示す要部分解斜視図
【符号の説明】
【００５０】
１            間仕切りパネル
１３４        縦枠の連結孔
２            コーナー金具
２００        アジャスター
３００        キャスター
５１          支柱の連結孔
６            スライドパネル
６１１        閉鎖用上部ストッパー
６１２        開放用上部ストッパー
７            上部倒れ止め金具
８            下部振れ止め金具
【図１】
2005120614.tif 000003
【図２】
2005120614.tif 000004
【図３】
2005120614.tif 000005
【図４】
2005120614.tif 000006
【図５】
2005120614.tif 000007
【図６】
2005120614.tif 000008
【図７】
2005120614.tif 000009
【図８】
2005120614.tif 000010
【図９】
2005120614.tif 000011
【図１０】
2005120614.tif 000012
【図１１】
2005120614.tif 000013